(57)【要約】【課題】スプーン２で食物Ｆを掬ったような場合に、息を吹きかけなくても冷却が速く衛生的なスプーン２、堅いアイスクリーム小分けしやすくしたりする。【解決手段】金属製の舌状部１１に柄部１２が連結されると共に、該柄部１２にヒートパイプ１３を内設して、舌状部１１で掬われた食物Ｆと柄部１２との熱交換を促進する。これにより、スプーン２で食物Ｆを効率的に柄部１２を介して冷却する。【選択図】      図１
2007135909.tif 000002
【特許請求の範囲】
【請求項１】
食物に接する金属製の先端部に筒状の金属製の柄部が連結されると共に、該柄部にヒートパイプが内設され、前記先端部に接する食物と前記柄部との熱交換により当該食物の温冷が行えるようにしたことを特徴とする食器具。
【請求項２】
前記柄部に挿着される鞘部を設けると共に、該鞘部に前記柄部と熱接触する加温材又は冷却材を収納する熱源収納部を設けたことを特徴とする請求項１記載の食器具。
【請求項３】
前記先端部の内部が空洞に形成され、食物に接する面とその裏面とに温度差ができるようにしたことを特徴とする請求項１又は２記載の食器具。
【請求項４】
前記先端部が舌状をなすスプーンであることを特徴とする請求項１乃至３いずれか１項記載の食器具。
【請求項５】
前記先端部が刃状をなすナイフであることを特徴とする請求項１乃至３いずれか１項記載の食器具。
【請求項６】
前記先端部が歯状をなすフォークであることを特徴とする請求項１乃至３いずれか１項記載の食器具。
【請求項７】
金属製の舌状をなす先端部に筒状の金属製の柄部が連結されると共に、該柄部にヒートパイプが内設され、前記先端部を被押当部位に押し当て該被押当部位と前記柄部との熱交換により当該被押当部位の温冷が行えるようにしたことを特徴とする治癒具。
【請求項８】
前記柄部に挿着される鞘部を設け、該鞘部に前記柄部と熱接触する加温材又は冷却材を収納する熱源収納部を設けたことを特徴とする請求項７記載の治癒具。
【請求項９】
前記先端部の内部が空洞に形成され、当該先端部が押し当てられる面とその裏面とに温度差ができるようにしたことを特徴とする請求項７又は８記載の治癒具。
【請求項１０】
金属製の舌状をなす先端部に筒状の柄部が連結されると共に、該柄部にヒートパイプが内設され、かつ、当該柄部が挿着される電気絶縁材からなる鞘部を設けて、前記先端部を帯電させて被押当部位に押当てが行えるようにしたことを特徴とする化粧具。
【請求項１１】
前記鞘部に前記柄部と熱接触する加温材又は冷却材を収納する熱源収納部を設けたことを特徴とする請求項１０記載の化粧具。
【発明の詳細な説明】
【技術分野】
【０００１】
本発明は、食物を温冷することができる食器具、患部を温冷できる治癒具、化粧直しが行える化粧具に関する。
【背景技術】
【０００２】
自分でスプーン等の食器具を持つことができない要介護者や赤ちゃん等に対しては、図１４に示すように、介護者や母親がスプーン１０１を用いて食物１０２を掬い、息を吹きかけて温度調整して与えている。
ところが、介護者や母親が風邪を引いていたりして息の中に雑菌が含まれていると、温度調整のために吹きかけた息の中の雑菌が食物１０２に移り、要介護者や赤ちゃん等に感染してしまう恐れがあった。
【０００３】
また、掬われた食物１０２は表面から冷めるので、スプーン１０１の背面１０３の温度は、食物１０２の温度と略同じ温度であり、図１５に示すように、スプーン１０１の背面１０３が要介護者や赤ちゃん等の下唇１０４に接触して火傷させてしまうことがあった。
【０００４】
また、食器具の１つとしてバターナイフがあるが、一般にバターは冷蔵されてパンより堅くなっているので、軟らかいパンに均一に塗ることが難しい問題があった。
【０００５】
また、スプーン１０１を用いて例えばアイスクリームを小皿に小分けするような場合、掬い取ったアイスクリームがスプーン１０１と密着して容易に移し替えができない問題があった。
かかる問題に対しては、柄に電源を内蔵すると共に、食物を掬う部分に発熱体を設けたスプーンが提案されている（特許文献１参照）。
しかし、この構成は電源や発熱体を設けるためにスプーンの寸法が大きくなり、また重くなってしまう不都合がある。
【０００６】
また、患部を温めたり冷やしたりすることにより自然治癒力を助けて治療したり、ツボを温めたり冷したりすることが行われている。
通常、このような場合には蒸しタオルや氷嚢等を用いるが、蒸しタオル等を準備する煩わしさがあるので、ペルチェ素子を備えて電気的に温冷できるようにした構成が開示されている（特許文献２参照）。
しかし、ペルチェ素子は高価であり、また電源を必要とするため利便性に欠ける問題があった。
【０００７】
さらに、ファンデーション等の化粧を行った場合に、汗等によりファンデーションが浮上がってしまうことがある。このような場合には化粧直しするが、重ね塗りした部分の色合が他の部分と異なったりするため、化粧直しに時間や手間を要する問題があった。
【特許文献１】特願平７−６８７２７号公報
【特許文献２】特願平８−１６６１８０号公報
【発明の開示】
【発明が解決しようとする課題】
【０００８】
そこで、本発明は、上述した従来の状況に鑑み、食物の温度調整を容易にした食器具、簡単な構成で患部の温冷が行える治癒具、さらに化粧直しが容易な化粧具を提供することを目的とする。
【課題を解決するための手段】
【０００９】
上記課題を解決するため、食器具に係る発明は、食物に接する金属製の先端部に筒状の金属製の柄部が連結されると共に、該柄部にヒートパイプが内設され、前記先端部に接する食物と前記柄部との熱交換により当該食物の温冷が行えるようにしたことを特徴とする。
【００１０】
また、前記柄部に挿着される鞘部を設けると共に、該鞘部に前記柄部と熱接触する加温材又は冷却材を収納する熱源収納部を設けたことを特徴とする。
【００１１】
また、前記先端部の内部が空洞に形成され、食物に接する面とその裏面とに温度差ができるようにしたことを特徴とする。
【００１２】
また、前記先端部が舌状をなすスプーンであることを特徴とする。
【００１３】
また、前記先端部が刃状をなすナイフであることを特徴とする。
【００１４】
さらに、前記先端部が歯状をなすフォークであることを特徴とする。
また、治癒具に係る発明は、金属製の舌状をなす先端部に筒状の金属製の柄部が連結されると共に、該柄部にヒートパイプが内設され、前記先端部を被押当部位に押し当て該被押当部位と前記柄部との熱交換により当該被押当部位の温冷が行えるようにしたことを特徴とする。
【００１５】
また、前記柄部に挿着される鞘部を設け、該鞘部に前記柄部と熱接触する加温材又は冷却材を収納する熱源収納部を設けたことを特徴とする。
【００１６】
さらに、前記先端部の内部が空洞に形成され、当該先端部が押し当てられる面とその裏面とに温度差ができるようにしたことを特徴とする。
【００１７】
また、化粧具に係る発明は、金属製の舌状をなす先端部に筒状の柄部が連結されると共に、該柄部にヒートパイプが内設され、かつ、当該柄部が挿着される電気絶縁材からなる鞘部を設けて、前記先端部を帯電させて被押当部位に押当てが行えるようにしたことを特徴とする。
【００１８】
また、前記鞘部に前記柄部と熱接触する加温材又は冷却材を収納する熱源収納部を設けたことを特徴とする。
【発明の効果】
【００１９】
本発明に係る食器具よれば、食物の温度が柄部のヒートパイプに伝達され、例えば食物が暖かいときは先端部で掬われた食物は速やかに冷え、逆に食物が冷たいときは温めることができるようになる。
また、食物を掬ったときには、その裏面の温度は低くなるので裏面に唇が触れて火傷等を起す恐れが防止できる。
【００２０】
また、治癒具に係る発明は、先端部を患部等の被押当部位に押し当てて、当該被押当部位と柄部との熱交換を促進するようにしたので、局部的な被押当部位を速やかに温冷できるようになる。
【００２１】
さらに、化粧具に係る発明は、先端部を帯電させて化粧直しする肌等の被押当部位に押当てることにより、当該押し当てによる浮上がった化粧の押付けができると共に、先端部の電荷と化粧の電荷との間で斥力が働き容易に化粧を肌に付着させることが可能になる。
【発明を実施するための最良の形態】
【００２２】
本発明に実施の形態を図を参照して説明する。図１は第１の実施の形態の説明に適用される食器具の１つであるスプーン２の側面図であり、図２はその上面図、図３は図２におけるＡ−Ａ矢視断面図である。
なお、本第１の実施の形態では、食物Ｆとしてお粥を想定して説明するが、スープのようにスプーンで掬う食物Ｆ全般に適用できることを付言する。
【００２３】
このスプーン２は、食物Ｆを掬う上面視楕円状（舌状）の舌状部（先端部）１１、該舌状部１１に連結されて把持する柄部１２、該柄部１２に内設されて舌状部１１と柄部１２との熱交換を促進させるヒートパイプ１３を備えている。
【００２４】
舌状部１１及び柄部１２は、鉄、アルミニューム、真鍮、ステンレス、銀、金等の金属を材料として形成され、又はニッケル、タンタル、銀、金、白金等を蒸着やメッキにより被覆されて形成されている。
【００２５】
舌状部１１の食物Ｆを掬う掬い面１６は、その裏面（背面）１７側に窪んで形成され、掬い面１６と背面１７との間には空間１８が設けられている。以下、この空間１８を舌状部空間１８という。
この舌状空間１８は、楕円盤の端部を一部切り欠いたような形状をなし、厚みは柄部１２側は厚く、先端側に向って薄くなっている。また、掬い面方向には先端側から幅広くなり、柄部側に幅狭くなっている。
【００２６】
柄部１２は、舌状部１１と一体形成、蝋付、溶接等により連結された円筒状で、その内部空間（以下、この空間を柄部空間１９という）は舌状部空間１８と連通している。また、柄部１２の端部には充填管２０を備える封止栓２１が溶接等により固着されている。
さらに、舌状部１１との連結部近傍の柄部１２には、指をかけたりする環状の規制材３３が設けられている。
【００２７】
舌状部空間１８及び柄部空間１９は、ヒートパイプ１３の作動空間２５をなし、この作動空間２５には焼鈍されたステンレスのメッシュシート（ウィック）２６が丸めて収納されると共に、充填管２０を介して作動液が充填されている。なお、充填管２０は作動液を充填した後に封止されて、作動空間２５を密閉空間としている。
【００２８】
ウィック２６を作動空間２５に収納すると細線間で毛細管が形成されると共に、弾性により丸められた状態から元の状態に戻るように広がり作動空間２５の内壁と熱接触する。
【００２９】
作動液としては、エタノール、水とエタノールの体積比５０％液、アセトン等が例示でき、そのときの充填圧は約１０▲−５▲Ｔｏｒｒである。無論、この圧力は食器具の種類等に応じて設定される。
【００３０】
このような構成で、舌状部１１で熱い食物Ｆを掬うと、その熱は舌状部空間１８内の作動液を蒸発させる。従って、蒸発潜熱は食物Ｆから与えられることになり、当該食物Ｆは冷却される。
作動液が蒸発することにより舌状部空間１８と柄部空間１９とで圧力差が生じ、この圧力差を緩和するように蒸発した作動液は、略音速で作動空間２５全体に拡散する。
【００３１】
柄部１２は大気や当該柄部１２を把持している手と熱接触しているので、柄部空間１９に拡散してきた作動液は、柄部１２を介してこれらに放熱して凝縮する。凝縮した作動液はウィック２６による毛細管により舌状部空間１８に移動する。
このようなサイクルが繰返されることにより、舌状部１１の熱は柄部１２を介して効率的に放熱することが可能になる。
【００３２】
図４（ａ）は、炊き上がりのお粥（１００℃，２００ｃｃ）を室温２４℃のときに２つのお椀に掬い、一方はそのままの状態で放置し、他方はそのお椀に本願発明にかかるスプーン２を差込んだ状態で放置して、４８℃近傍の温度になるまでの時間を測定した結果であり、図４（ｂ）は室温２７℃のときに鍋からお椀にお粥をよそい、このお椀から２．５ｃｃだけ本発明に係るスプーン２で掬って３秒後の温度を計測した結果である。
【００３３】
図４（ａ）の結果は、自然放熱では略同じ温度の４７℃になるまで１８分要しているのに対し、本発明品のスプーン２を差込むことにより２．５分で４９℃にまで冷却されたことが示され、非常に冷却効率が高いことがわかる。
また、図４（ｂ）の結果は、お椀によそったお粥を本発明品に係るスプーン２で掬い３秒と経過すると、４７℃に下がることを示し、短時間で冷却できることがわかる。
【００３４】
このように、本発明に係るスプーン２によれば、掬った食物Ｆは速やかに冷却されるため、従来のように介護者が息を吹きかけて冷さなくても良く、息を吹きかけることによる雑菌等が食物Ｆに付着する事態が防止できる。
【００３５】
また、従来のスプーン２では、掬った食物Ｆの熱は、舌状部１１の厚み方向に直接伝達して背面１７に達するため、背面１７の温度は食物Ｆの温度と略同じ温度となり、下唇が背面１７に触れて火傷してしまうことがあった。
これに対し、本発明にかかるスプーン２では、掬い面１６と背面１７との間に舌状部空間１８が存在するので、食物Ｆの熱は舌状部１１の周縁を介して背面１７側に伝達して背面１７の温度は食物Ｆの温度より低くなる。従って、下唇が背面１７に触れて火傷してしまう不都合を抑制することが可能になる。
【００３６】
例えば、４７℃の食物Ｆを掬った場合の背面１７の温度を測定すると４２℃で、５℃の温度差が生じることが分った。従って、本発明に係るスプーンは安全性についても優れた特性を持つことが示された。
【００３７】
なお、上記説明では、掬った食物Ｆを冷却する食器具としてのスプーン２について説明した。しかし、本発明はこのような利用に限定されるものではなく食物Ｆを加温したい場合にも利用できる。
【００３８】
例えば、アイスクリームを掬い小皿に小分けするような場合、掬ったアイスクリームがスプーン２に密着して、小皿への移し替えが容易に行うことがでない場合がある。このような場合に掬い面１６近傍のアイスクリームが柔らかくなっていると、スプーン２からの容易に移し替えることができる。
【００３９】
また、蜂蜜を掬い紅茶に入れるような場合、蜂蜜は粘性が高いためスプーン２に付着して残った蜂蜜が垂れてしまうことがある。このような場合に、掬った蜂蜜の粘性が小さくできると蜂蜜が垂れたりする不都合が抑制できる。
【００４０】
さらに、バターナイフを用いてバターをパン等に塗る場合、バターは冷蔵庫等に保管されて堅くなっているので、それより柔らかいパンに塗ることは容易でない。このような場合に、バターが柔らかくなっていれば塗りやすい。
またフォークで肉を刺すような場合に、フォークの歯が暖かいと、刺した部分の肉の温度低下が抑制できる利点がある。
【００４１】
このような問題に対して、上述したスプーン２におけるヒートパイプ１３の作動液を逆サイクルさせることで対応可能になる。
【００４２】
即ち、アイスクリーム、バター、蜂蜜等は柄部１２を把持する手や大気より温度が低い場合が多いので、これらにより柄部空間１９内の作動液が蒸発し、これが舌状部空間１８に拡散し、食物Ｆに放熱して凝縮し、ウィック２６がなす毛細管を伝って柄部空間１９に戻るサイクルを繰返すことにより食物Ｆに熱を与えることが可能である。
【００４３】
次に、本発明の第２の実施の形態を説明する。上記実施の形態では、食物Ｆはヒートパイプ１３を介して大気や柄部１２を把持する手と熱交換する構成であった。
しかし、食物Ｆの冷却をより速くしたりより速く温めたい場合においては、放熱源又は吸熱源を大気や手とするだけでは要求を満たすことができない場合も生じる。
【００４４】
そこで、本実施の形態では、加熱源や冷熱源を別途設けて、より速く食品の加温や冷却が行えるようにしたもので、図５及び図６に示すように、舌状部１１、柄部１２、ヒートパイプ１３を備えると共に、柄部１２が挿着される鞘部３０等を有している。なお、図６は図５におけるＢ−Ｂ矢視断面図である。
この舌状部１１、柄部１２、ヒートパイプ１３は、第１の実施の形態と略同じ構成であるので同一符号を付して説明を省略する。
【００４５】
鞘部３０は、柄部１２が挿入されて把持部をなす概略円筒状の鞘本体３１、該鞘本体３１の内部に形成されて温熱源又は冷熱源が挿着される熱源収納部３２、鞘本体３１の内壁をなして熱源収納部３２を区画する金属等から形成された隔離部３８等を備えている。
【００４６】
熱源３４としては、吸水性ポリマーや冷水が利用でき、温熱源としては温水やカイロ材（鉄等を酸化させ、その際の熱を利用するもの）等の一般公知の材料が利用できて、熱源収納部３２に収納できるように円筒状に形成されている。
【００４７】
なお、熱源３４が、袋詰め等されてそれ自体で形状維持できる場合には、隔離部３８は不要であるが、例えば冷水のようにそれ自体で形状保持できない場合には、当該隔離部３８が必要になる。
無論、隔離部３８を設けておくならば何れの場合についても利用可能になることは言うまでもない。以下の説明では、熱源３４は袋詰め等されてそれ自体で形状維持でき、かつ、隔離部３８を設けた場合を例に説明する。
【００４８】
鞘本体３１は、樹脂、ガラス、金属等により形成され、先端には規制材３３を収納すると共にその収納位置を規制する規制材収納部３５が設けられている。なお、鞘本体３１に対して種々の彫刻や模様を設けることも可能である。
【００４９】
この規制材収納部３５に隣接して熱源収納部３２が設けられ、また鞘本体３１の後端側には、規制材収納部３５に収納された熱源３４が抜出ないようにするが鞘蓋３６が設けられている。鞘蓋３６は樹脂やゴムのように、弾性の高い部材により形成して、当該鞘蓋３６を弾性収縮変形させながら押込んで蓋をするようにしても良く、鞘本体と同じ材料で形成しても良い。
【００５０】
図７は、このような鞘本体３１に熱源３４を挿着して使用状態する際の様子を示した図で、先ず鞘本体３１に熱源３４を挿着し、鞘蓋３６により蓋をする。
次に、熱源３４が挿着された鞘本体３１を、柄部１２の端部側から挿入し、規制材収納部３５が規制材３３に当接するまで収納して利用可能状態となる。
【００５１】
なお、この状態では鞘本体３１を柄部１２に挿着しただけの状態であるので、使用中に鞘本体３１が抜けてしまうようなことも考えられる。このような場合には、図８に示すように、規制材収納部３５に挿通する雌螺子２３を鞘本体３１に形成し、この雌螺子２３に雄螺子２４を螺合させて、当該雄螺子２４の先端を規制材３３に当接させることにより挿入された鞘本体３１の離脱を規制するようにしても良い。
【００５２】
上記説明では、舌状部１１がスプーン２として機能する場合について説明したが、バターナイフの場合には、図９に示す構成が可能である。なお、図９（ａ）は、本実施の形態にかかる食器具としてのバターナイフ３の斜視図であり、図９（ｂ）はそのＣ−Ｃ矢視断面図である。
【００５３】
この場合には舌状部１１はバターナイフ３のナイフ部２８として作用し、ヒートパイプ１３は舌状部１１まで延設された構成となっている。
【００５４】
そして、掬ったバター２９は、ヒートパイプ１３を介して手や大気、又は熱源３４からの熱により温度上昇して溶け（又は軟らかくなり）、容易にパン等に塗ることができるようになって利便性が向上する。
【００５５】
次に、本発明の第３の実施の形態を説明する。これまでは食器具として用いるスプーン２やバターナイフ３について説明した。しかし、本発明はこれに限定されるものではなく、治癒具や化粧直し具としても利用することが可能である。
【００５６】
これらの基本構成は、図５に示した構成と同じであるので、同一構成については同一符号を付して説明を省略する。但し、舌状部１１の外観形状は、用途や使用する部位に応じて、例えば円盤状にしても良い。
【００５７】
そして、舌状部（先端部）１１は患部（被押当部位）に当てて加温又は冷す温冷部３９として作用し、柄部１２は取手として作用する。柄部１２にヒートパイプ１３が収納されている。
【００５８】
また、一般に身体部分の加温や冷却を行うには、少なくとも加温又は冷却したい身体部分の温度を上昇させなければならず、身体の大部分が水分であることから、鞘本体３１に加熱源や冷熱源の熱源３４を収納することが好ましい。
無論、要求される熱量が大きくなることに対応して、柄部１２に加熱源や冷熱源を巻付けて使用することも可能である。
【００５９】
図１０はこの治癒具４を用いて患部３７（図１０では親指の関節を患部としている）に温冷部３９を押し当てて、当該患部３７を加温又は冷しているときの様子を示す図である。
【００６０】
従来、局部的な患部を加温したり冷却したりするために蒸しタオルや氷嚢を用いる場合には、これら蒸しタオル等により衣服が濡れたりすることがあり、またタオルや氷嚢の場合には、それらの内部での熱伝導が悪いため、全体として熱いが患部に接している部分の温度が低くなり、何度も位置変え等をしなければならない不便さがあるが、本発明に係る治癒具は係る問題が発生しない利便さがある。
【００６１】
次に、他の実施例として、化粧直しする場合の化粧具を図１１に示し説明する。この化粧具の基本構成は、図５に示した構成と同じであるので、同一構成については同一符号を付して説明を省略する。但し、舌状部１１の外観形状は、例えば円盤状にしても良く、用途や使用する部位に応じて変更可能である。
【００６２】
そして舌状部１１は化粧直しする肌に押し当てる押当部（被押当部位）４２として作用し、柄部１２は取手として作用する。柄部１２にはヒートパイプ１３が収納され、また当該柄部１２には鞘部３０が挿着されている。
【００６３】
この柄部３０の鞘本体３１は電気的に絶縁性のあるガラスや樹脂等を材料として形成され、また押当部４２の表面にはタンタル膜４１が蒸着されている。
【００６４】
そして、この化粧具６は押当部４２を帯電させて、化粧直しする肌に押当てて用いる。押当部４２を帯電状態にするために、鞘本体３１は電気的に絶縁性を有する材料から形成される必要がある。
【００６５】
図１２は、化粧直ししている様子を示す図であり、図１３は化粧直の原理を説明する図である。ファンデーション等の化粧は、汗を掻いたりすると浮上がってくる。この場合には、化粧直しをするが単に化粧パフで押さえ付けても浮上がった化粧を肌に再付着させることは容易でない。このような浮上がった化粧は、図１３（ａ）に示すように正電荷を帯び、肌は負電荷を帯びた状態となっている。
【００６６】
そこで、図１３（ｂ）に示すように、押当部４２を正に帯電させて、浮上がった化粧部分４６に押し当てると、押当部４２が浮上がった化粧を押さえ付けると共に、押当部４２の電荷と化粧の電荷との間で働く斥力により化粧が肌に押しつけられる。
【００６７】
肌には種々の凹凸が存在するので、押当部４２を押付けただけでは肌に化粧が付着する度合は低いが、電場の作用で押しつけることにより良好に付着させることが可能になる。
【００６８】
なお、化粧が浮上がる原因として、汗などが考えられる。従って、汗を抑えないと化粧直しが良好に行えなかったり、直ぐに化粧崩れが起きることになる。汗は、肌の温度上昇によるものなので、当該部分を冷却することにより発汗を抑えることができる。
【００６９】
このため、鞘部３０には冷熱源が収納できるようにする。これにより、肌を冷しながら浮上がった化粧をメカニカルに押さえつけると共に電場の作用で押さえつけるため、部分的な化粧直しを容易に行うことが可能になる。
【００７０】
なお、押当部４２の表面にはタンタル膜４１を蒸着して設けている。このタンタル膜４１は、化粧直しすると押当部４２の表面が黒ずむという不都合が生じ、これを防ぐために設けている。
【００７１】
即ち、押当部４２を肌に押当てた際に、化粧により押当部４２に傷が付いたりするためであろうと推測するが（定かではない）、押当部４２の表面が黒ずんでくる不都合が生じた。
【００７２】
そこで、押当部４２の表面が金、白金、鉄、アルミニューム、ステンレス、タンタル等の金属表面になるように材質を変え、また蒸着して試験した結果、タンタル以外の場合には何れの場合においても黒ずみが発生した。
【００７３】
従って、かかる黒ずみの発生を防止するためには、タンタルを蒸着することが有効であることを発見した。その厚みとしては、数ミクロンであった。
【図面の簡単な説明】
【００７４】
【図１】本発明の第１の実施の形態の説明に適用されるスプーンの側面図である。
【図２】図１に示すスプーンの上面図である。
【図３】図２におけるスプーンのＡ−Ａ矢視断面図である。
【図４】従来品と本発明品との性能を比較した実験結果を示す図である。
【図５】本発明の第２の実施の形態の説明に適用される鞘部を備えるスプーンの斜視図である。
【図６】図５におけるスプーンのＢ−Ｂ矢視断面図である。
【図７】図５のスプーンの組立て図である。
【図８】図５のスプーンの舌状部を拡大した部分断面図である。
【図９】他の実施例としてのバターナイフの構成を示す図である。
【図１０】本発明の第２の実施の形態の説明に適用される治癒具の使用状態を説明する図である。
【図１１】他の実施例としての化粧具の断面図である。
【図１２】化粧具の使用状況を説明する図である。
【図１３】化粧具の作用原理を説明する図である。
【図１４】従来の技術の説明に適用される図で、スプーンで掬った食物を冷すときの様子を示す図である。
【図１５】従来の技術の説明に適用される図で、要介護者等にスプーンで食物を与えるときの様子を示す図である。
【符号の説明】
【００７５】
Ｆ  食物
２  スプーン
３  バターナイフ
４  治癒具
６  化粧具
１１  舌状部
１２  柄部
１３  ヒートパイプ
１６  掬い面
１７  背面
１８  舌状部空間
１９  柄部空間
２０  充填管
２１  封止栓
２３  雌螺子
２４  雄螺子
２５  作動空間
２６  メッシュシート（ウィック）
２８  ナイフ部
２９  バター
３０  柄部
３０  鞘本
３０  鞘部
３１  鞘本体
３２  熱源収納部
３３  規制材
３４  熱源
３５  規制材収納部
３６  鞘蓋
３７  患部
３８  隔離部
３９  温冷部
４１  タンタル膜
４２  押当部
【図１】
2007135909.tif 000003
【図２】
2007135909.tif 000004
【図３】
2007135909.tif 000005
【図４】
2007135909.tif 000006
【図５】
2007135909.tif 000007
【図６】
2007135909.tif 000008
【図７】
2007135909.tif 000009
【図８】
2007135909.tif 000010
【図９】
2007135909.tif 000011
【図１０】
2007135909.tif 000012
【図１１】
2007135909.tif 000013
【図１２】
2007135909.tif 000014
【図１３】
2007135909.tif 000015
【図１４】
2007135909.tif 000016
【図１５】
2007135909.tif 000017